(57)【要約】  シェービング兼トリミング装置（１００）は、上端部（１０４）及び下端部（１０６）を有するハンドル（１０２）と、ハンドル上端部に隣接して配置された電動トリマー（１０８）と、トリマー上でハンドル上端部に取り付けるのに適した接続構造（２０２）、及びこの接続構造に嵌合するかみそりカートリッジ（２０４）を含むウェットシェービング用かみそりアタッチメント（２００）と、を含む。
2011527933.tif 000002
【特許請求の範囲】
【請求項１】
上端部及び下端部を有するハンドルと、
前記上端部に隣接して配置された電動トリマーと、
前記トリマー上で前記上端部に取り付けるのに適した接続構造、及び前記接続構造に嵌合するかみそりカートリッジを含むウェットシェービング用かみそりアタッチメントと、
を備えた、シェービング兼トリミング装置。
【請求項２】
前記下端部が、取り外し可能に取り付けられたキャップを含む、請求項１に記載の装置。
【請求項３】
前記かみそりカートリッジが、前記接続構造に取り外し可能に取り付けられた、請求項１に記載の装置。
【請求項４】
前記ウェットシェービング用かみそりアタッチメントが、前記かみそりカートリッジを前記接続構造から取り外し可能に取り付けるための排出機構を更に含む、請求項１に記載の装置。
【請求項５】
前記装置が液体不透過性である、請求項１に記載の装置。
【請求項６】
前記かみそりカートリッジが、前記かみそりカートリッジのハウジング内に配置された１つ以上の刃アセンブリを更に含む、請求項１に記載の装置。
【請求項７】
前記カートリッジが、積層状態で配置された２つ以上のトリミング刃を含み、少なくとも１つのトリミング刃が他のトリミング刃に対して往復運動する、請求項１に記載の装置。
【請求項８】
前記上端部と前記下端部とが一体的に形成された、請求項１に記載の装置。
【発明の詳細な説明】
【技術分野】
【０００１】
本発明は、シェービング兼トリミング装置に関する。
【背景技術】
【０００２】
消費者の大部分は、顔の毛の外観を変えたいと思うたびに、例えば、かみそり、はさみ、及び電気トリマーといった複数の道具を取り扱うのは、ひどく面倒な場合があると感じている。
【発明の概要】
【発明が解決しようとする課題】
【０００３】
このような複数の器具を操作する不便を解消し、シェービング及びトリミング装置を兼ねる装置が必要とされている。
【課題を解決するための手段】
【０００４】
一態様では、本発明はハンドル、電動トリマー、及びウェットシェービング用かみそりアタッチメントを含む、シェービング兼トリミング装置を特徴とする。ハンドルは、上端部と下端部とを有し、上端部又は上端部近傍にトリマーを配置している。ウェットシェービング用かみそりアタッチメントは、接続構造及びかみそりカートリッジを含む。接続構造は、トリマー上でハンドル上端部に取り付けるのに適している。かみそりカートリッジは、接続構造に係合可能に嵌合する。
【０００５】
一態様では、かみそりカートリッジは、接続構造に取り外し可能に取り付けられる。
【０００６】
別の態様では、ウェットシェービング用かみそりアタッチメントは、かみそりカートリッジを接続構造から取り外し可能に取り付けるための排出機構を含む。
【０００７】
別の対象では、かみそりカートリッジは、前面上に１つ以上のかみそり刃を含み、少なくとも１つの刃が、前面に対して実質的に垂直に配置される。
【０００８】
別の態様では、シェービング兼トリミング装置は液体不透過性である。
【０００９】
更に別の態様では、ハンドル下端部にキャップが、取り外し可能に取り付けられる。
【００１０】
このシェービング兼トリミング装置は、もはや個別のトリマー及びかみそりを必要としない、一体型装置としての電動トリマーを提供する。
【００１１】
本発明の他の特徴及び利点は、説明及び図面、並びに特許請求の範囲から明らかになる。
【図面の簡単な説明】
【００１２】
【図１】シェービング兼トリミング装置の斜視図。
【図２】分離したシェービング兼トリミング装置の斜視図。
【発明を実施するための形態】
【００１３】
図１及び２は、シェービング兼トリミング装置１００を示す。装置１００は、ハンドル１０２、電動トリマー１０８、及びウェットシェービング用かみそりアタッチメント２００を含む。装置１００は液体不透過性である。ハンドル１０２は、上端部１０４及び下端部１０６を有する。描写した実施形態では、上端部１０４、下端部１０６が分離可能であり、相互に独立して形成された後に結合されたように示されているが、これらは一体的に形成されてもよい。本実施形態においては、キャップ１１０が下端部１０６に取り外し可能に取り付けられている。しかしながら、キャップ１１０もまた、下端部１０６と一体的に形成されてもよい。トリマー１０８は、上端部１０４又はその近傍に配置され、少なくとも１つのトリミング刃（鋸歯状であってよい）１０９を動かすように構成されており、このトリミング刃１０９はトリマー１０８内に配置される。特定の実施形態では、積層状態で配置された複数のトリミング刃１０９を含み、少なくとも１つの刃が他の刃に対して往復運動することによって、１つ以上のトリミング刃１０９の刃先に隣接して配置された毛の上でのトリミング又はカッティング動作を得るようにしてもよい。
【００１４】
ウェットシェービング用かみそりアタッチメント２００は、接続構造２０２及びかみそりカートリッジ２０４を含む。接続構造２０２は、トリマー１０８上で上端部１０４に取り付けるのに適している。かみそりカートリッジ２０４は、接続構造２０２に係合可能に嵌合する。図２の実施形態では、かみそりカートリッジ２０４は、接続構造２０２に取り外し可能に取り付けられる。かみそりカートリッジ２０４は、カートリッジのハウジング２０５内に取り付けられた、１つ以上の刃アセンブリ２０３を含む。装置１００は、図２に示されるようにトリミング装置として、又は図１に示されるようにウェットシェービング装置として、動作するように構成されている。一実施形態では、シェービング兼トリミング装置は、少なくとも１つのトリミング刃を動かす結果として得られる振動がかみそりアタッチメント２００に振動を平行移動させるようにトリマー１０８を作動させることにより、電動ウェットシェービング装置としても機能し得る。
【００１５】
別の実施形態（図示せず）では、ウェットシェービング用かみそりアタッチメント２００は、かみそりカートリッジ２０４を接続構造２０２から取り外し可能に取り付けるための排出機構を含む。更に別の実施形態では、かみそりカートリッジ２０４は、前面上に１つ以上のかみそり刃を含み、少なくとも１つの刃が、この前面に対して実質的に垂直に配置される。かみそりカートリッジ２０４は、Ｖｉｎｃｅｎｔ  ＷａｌｋｅｒによるものでＴｈｅ  Ｇｉｌｌｅｔｔｅ  Ｃｏｍｐａｎｙに譲渡された米国特許出願第１０／７９９，９４６号に開示されるタイプのものであってよく、この文献は参照することにより本明細書に組み込まれる。
【００１６】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【００１７】
いずれの文献の引用もこうした文献が本明細書中で開示又は特許請求の範囲に記載されるいずれかの発明に対する先行技術であることを容認するものではなく、また、こうした文献が、単独で、あるいは他のあらゆる参照文献との組み合わせにおいて、こうした発明のいずれかを参照、教示、示唆又は開示していることを容認するものでもない。いずれの文献の引用も、こうした文献が本明細書中で開示又は特許請求の範囲に記載されるいずれかの発明に対する先行技術であることを容認するものではなく、また、こうした文献が、単独で、あるいは他のあらゆる参照文献との組み合わせにおいて、こうした発明のいずれかを参照、教示、示唆又は開示していることを容認するものでもない。更に、本文書における用語のいずれかの意味又は定義が、援用文献における同一の用語のいずれかの意味又は定義と相反する限りにおいては、本文書においてその用語に与えられた意味又は定義を優先するものとする。
【００１８】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の書類名特許請求の範囲で扱うものとする。
【図１】
2011527933.tif 000003
【図２】
2011527933.tif 000004
【国際調査報告】
2011527933.tif 000005
2011527933.tif 000006